(57)【要約】      （修正有）【課題】高速動画像データと通常動画像データとを独立して記録することができる撮像装置を提供する。【解決手段】被写体からの光を撮像する撮像素子６と、前記撮像素子からフレーム画像を構成する撮像信号を第１フレームレートまたは前記第１フレームレートよりも大きい第２フレームレートで読み出す読出制御部４と、前記読出制御部により前記撮像素子から前記第１フレームレートにより前記フレーム画像を構成する撮像信号を読み出して通常動画の撮影を行なっている際に、高速動画の撮影指示があった場合に、前記読出制御部により前記撮像素子から前記第２フレームレートにより前記フレーム画像を構成する撮像信号を読み出して高速動画の撮影を行なう撮像装置２において、前記通常動画の動画像データと前記高速動画の動画像データとを別の動画像データとして動画像データ記録部１０に記録させる記録制御部４を備える。【選択図】図１
2013172238.tif 000002
【特許請求の範囲】
【請求項１】
被写体からの光を撮像する撮像素子と、
前記撮像素子からフレーム画像を構成する撮像信号を第１フレームレートまたは前記第１フレームレートよりも大きい第２フレームレートで読み出す読出制御部と、
前記読出制御部により前記撮像素子から前記第１フレームレートにより前記フレーム画像を構成する撮像信号を読み出して通常動画の撮影を行なっている際に、高速動画の撮影指示があった場合に、前記読出制御部により前記撮像素子から前記第２フレームレートにより前記フレーム画像を構成する撮像信号を読み出して高速動画の撮影を行なう撮像装置において、
前記通常動画の動画像データと前記高速動画の動画像データとを別の動画像データとして動画像データ記録部に記録させる記録制御部を備えることを特徴とする撮像装置。
【請求項２】
前記通常動画の撮影中において、前記高速動画を撮影した位置情報を位置情報記録部に記録させる位置情報記録制御部を備えることを特徴とする請求項１記載の撮像装置。
【請求項３】
前記記録制御部及び前記位置情報記録制御部は、前記通常動画の動画像データ、前記高速動画の動画像データ及び前記位置情報を１つの動画ファイルに記録させることを特徴とする請求項２記載の撮像装置。
【請求項４】
前記動画像データ記録部に記録されている前記通常動画の動画像データ及び前記高速動画の動画像データを再生する再生部と、
前記通常動画の動画像データの再生中に前記高速動画の動画像データの再生を指示する指示部と、
前記再生部により前記通常動画の動画像データの再生中に、前記位置情報記録部に記録されている位置情報に基づいて、前記高速動画の動画像データの存在する位置が近づいたことを示す高速動画情報を表示する表示制御部と
を備え、
前記表示制御部による前記高速動画情報の表示中に、前記指示部により前記高速動画の動画像データの再生指示が行われた場合に前記位置情報に基づいて前記高速動画の動画像データの再生を行い、前記指示部により前記高速動画の動画像データの再生指示が行われなかった場合に前記位置情報に基づいて補完画像の補完画像データの再生を行い、前記高速動画の動画像データまたは前記補完画像の補完画像データの再生が終了した後に前記通常動画の動画像データの再生を再開することを特徴とする請求項１〜請求項３の何れか一項に記載の撮像装置。
【請求項５】
前記補完画像データは、前記補完画像の前及び後の何れか一方で再生される前記通常動画の動画像データに基づいて作成された少なくとも１つの静止画像データであることを特徴とする請求項４記載の撮像装置。
【請求項６】
前記補完画像データは、前記高速動画の動画像データに基づいて作成された動画像データであることを特徴とする請求項４記載の撮像装置。
【発明の詳細な説明】
【技術分野】
【０００１】
本発明は、動画像を記録可能な撮像装置に関するものである。
【背景技術】
【０００２】
高フレームレートで撮像した高速動画からフレーム間引きを行って通常フレームレートの通常動画を生成する記録装置が知られている（例えば、特許文献１参照）。この記録装置では、通常サイズの画面である親画面に高速動画、親画面の中に表示される小画面に通常動画が表示されるように高速動画と通常動画とを合成した動画像データを生成し、この動画像データに基づく動画をいわゆるピクチャーインピクチャー方式で再生している。
【先行技術文献】
【特許文献】
【０００３】
【特許文献１】特開２０１０−１９３０６３号公報
【発明の概要】
【発明が解決しようとする課題】
【０００４】
しかし、上述の特許文献１記載の記録装置を含む従来の撮像装置では、高速動画と通常動画とが合成された動画像データを生成するため、高速動画像データと通常動画像データとを独立して記録することができなかった。
【０００５】
本発明の目的は、高速動画像データと通常動画像データとを独立して記録することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、被写体からの光を撮像する撮像素子（６）と、前記撮像素子（６）からフレーム画像を構成する撮像信号を第１フレームレートまたは前記第１フレームレートよりも大きい第２フレームレートで読み出す読出制御部（４）と、前記読出制御部（４）により前記撮像素子（６）から前記第１フレームレートにより前記フレーム画像を構成する撮像信号を読み出して通常動画の撮影を行なっている際に、高速動画の撮影指示があった場合に、前記読出制御部（４）により前記撮像素子（６）から前記第２フレームレートにより前記フレーム画像を構成する撮像信号を読み出して高速動画の撮影を行なう撮像装置（２）において、前記通常動画の動画像データと前記高速動画の動画像データとを別の動画像データとして動画像データ記録部（１０）に記録させる記録制御部（４）を備えることを特徴とする。
【発明の効果】
【０００８】
本発明に係る撮像装置によれば、高速動画像データと通常動画像データとを独立して記録することができる。
【図面の簡単な説明】
【０００９】
【図１】実施の形態に係る電子カメラのシステム構成を示すブロック図である。
【図２】実施の形態に係る電子カメラの通常動画及び高速動画を撮影する際の処理を示すフローチャートである。
【図３】実施の形態に係る電子カメラの通常動画及び高速動画撮影時の読み出しモードを示す図である。
【図４】実施の形態に係る電子カメラにより記録される通常動画像データ及び高速動画像データのファイル構造を示す図である。
【図５】実施の形態に係る電子カメラにおいて通常動画の再生を行った場合の表示部における表示を示す図である。
【図６】実施の形態に係る電子カメラにおいて高速動画の再生を行った場合の表示部における表示を示す図である。
【発明を実施するための形態】
【００１０】
以下、図面を参照して、本発明の実施の形態に係る撮像装置としての電子カメラについて説明する。図１は、実施の形態に係る電子カメラ２のシステム構成を示すブロック図である。図１に示すように、電子カメラ２は、マイクロプロセッサ等により構成され、電子カメラ２の各部を統括的に制御する制御部４を備えている。制御部４は、映像信号処理回路５を有し、映像信号処理回路５は、後述する表示部１２において表示されるスルー画像のスルー画像データを生成するスルー画像生成部５ａ、動画像データを生成する動画像生成部５ｂ及び静止画像データを生成する静止画像生成部５ｃを有している。また、制御部４には、撮像素子６、バッファメモリ８、高速動画用バッファメモリ９、記録媒体１０、表示部１２、操作部１４、及びメモリ１６が接続されている。
【００１１】
撮像素子６は、ＣＣＤまたはＣＭＯＳ等により構成され、図示しない撮影レンズを介した被写体からの光を撮像し、撮像信号の出力を行う。バッファメモリ８及び高速動画用バッファメモリ９は、撮像素子６から出力され、図示しないＡ／Ｄコンバータを介すことによりアナログ信号からデジタル信号に変換された撮像信号に基づく画像データを一時的に記憶する。
【００１２】
ここで、バッファメモリ８は、電子カメラ２が例えば、後述の動画像を撮影する動画像撮影モード等に設定されている場合には、撮像素子６から動画像サイクル（３０ｆｐｓ等）に同期して読み出される撮像信号に基づく複数の画像データ、即ち通常フレームレートの通常動画を構成する複数のフレーム画像を時系列に順次記憶する。
【００１３】
また、高速動画用バッファメモリ９は、電子カメラ２が例えば、後述の動画像撮影モード等に設定されている場合であって高速動画の撮影指示が行われた場合に、撮像素子６から動画像サイクル（６０ｆｐｓまたは３００ｆｐｓ等）に同期して読み出される撮像信号に基づく複数の高速動画用の画像データ、即ち通常フレームレートよりも大きいフレームレートである高フレームレートの高速動画を構成する複数のフレーム画像を時系列に順次記憶する。
【００１４】
記録媒体１０は、電子カメラ２に設けられたカードスロット（図示せず）に着脱可能に装着される可搬性を有する記録媒体であり、例えば、ＣＦカード、ＳＤカード、スマートメディア等が用いられる。記録媒体１０には、バッファメモリ８及び高速動画用バッファメモリ９に記憶されているフレーム画像のそれぞれに、制御部４内の動画像生成部５ｂにより動画像用の解像度へのリサイズ（解像度大から小へ）処理、動画像用の画像処理、及び動画像用の圧縮処理を施すことにより作成される通常動画像データや高速動画像データが記録される。また、記録媒体１０には、バッファメモリ８に記憶されているフレーム画像に、制御部４内の静止画像生成部５ｃにより静止画像用の画像処理、静止画像用の圧縮処理を施すことにより作成される静止画像データや、撮影に関する情報等が記録される。
【００１５】
表示部１２は、電子カメラ２の背面部に配置されるＬＣＤ等により構成されるモニタまたはＥＶＦ等により構成される。表示部１２には、スルー画像生成部５ａにより生成されたスルー画像、記録媒体１０に記録されている通常動画像データに基づく通常動画、高速動画像データに基づく高速動画、静止画像データに基づく静止画像、及び撮影に関する情報等が表示される。
【００１６】
操作部１４は、電子カメラ２の電源をオン／オフする電源スイッチ、動画像を撮影する動画像撮影モード、静止画像を撮影する静止画像撮影モード等の撮影モードや動画像や静止画像を表示部１２に表示させる再生モードを設定するためのコマンドダイヤル、静止画像の撮影開始、高速動画の撮影開始等を指示するためのレリーズボタン、通常動画の撮影開始及び通常動画の撮影終了等を指示するための動画撮影ボタン、表示部１２にメニュー等を表示させるためのメニューボタン、メニュー項目等の選択や様々な設定時に操作される十字キー、メニュー項目等の選択や様々な設定に対する確定操作を行うためのＯＫボタン、記録媒体１０に記録された通常動画像データに基づく通常動画、高速動画像データに基づく高速動画、静止画像データに基づく静止画像を表示部１２に表示させるための再生ボタン等を含んで構成されている。メモリ１６は、高速動画の撮影時間に関する情報、記録媒体１０に記録させる前の通常動画像データ及び静止画像データ等を一時的に記憶する。
【００１７】
以下、図２に示すフローチャートを参照して、この実施の形態に係る電子カメラ２の制御部４において実行される通常動画及び高速動画の撮影処理について説明する。
【００１８】
まず、ユーザーがコマンドダイヤルを操作することにより動画像撮影モードを設定した後に、ユーザーが動画撮影ボタンの押下操作をして通常動画の撮影開始指示を行うと、制御部４は通常動画の撮影を開始する。
【００１９】
ここで、通常動画の撮影においては、制御部４は撮像素子６の読み出しモードを通常モード（３０ｆｐｓ等）としてフレーム画像を時系列で順次バッファメモリ８に記憶させる。また、バッファメモリ８に記憶させたフレーム画像を、先に記憶されたフレーム画像から順次読み出して動画像生成部５ｂにより動画像生成処理を行うことにより通常動画像データを作成し、記録媒体１０に記録させる。なお、この実施の形態において、バッファメモリ８には、ＱＦＨＤ（Ｑｕａｄ  Ｆｕｌｌ  Ｈｉｇｈ  Ｄｅｆｉｎｉｔｉｏｎ：３８４０×２１６０ピクセル）またはフルハイビジョン（Ｆｕｌｌ  Ｈｉｇｈ  Ｄｉｆｉｎｉｔｉｏｎ：１９２０×１０８０ピクセル）規格の画素数を有するフレーム画像、即ち高解像度のフレーム画像が順次記憶される。
【００２０】
次に、制御部４は、通常動画の撮影中にユーザーによりレリーズボタンが全押しされたか否かを判別する（ステップＳ１１）。ステップＳ１１において全押し操作がされたと判別された場合には、ステップＳ１２に進み、そうでなければステップＳ１９に進む。ステップＳ１１においてレリーズボタンが全押しされたと判別された場合には（ステップＳ１１、Ｙｅｓ）、制御部４は、通常動画の撮影開始から高速動画の撮影開始までの時間ｓをメモリ１６に記憶させる（ステップＳ１２）。さらに、制御部４は、撮像素子６の読み出しモードを通常モード（３０ｆｐｓ等）から高速モード（６０ｆｐｓまたは３００ｆｐｓ等）に切り替える（ステップＳ１３）。ここで、高速モードとして、６０ｆｐｓ等の第１高速モードまたは３００ｆｐｓ等の第２高速モードを選択可能な構成とし、メニューボタン及び十字キーを用いたメニュー操作等により第１高速モードまたは第２高速モードに予め設定可能な構成としてもよい。
【００２１】
この実施の形態においては、高速動画用バッファメモリ９に、６０ｆｐｓ等の第１高速モードにおいてはフルハイビジョン規格の画素数を有するフレーム画像が順次記憶され、３００ｆｐｓ等の第２高速モードにおいては１０８０×７２０ピクセルまたはＶＧＡ（６４０×４８０ピクセル）規格の画素数を有するフレーム画像が順次記憶される。
【００２２】
そして、制御部４は、高速動画用バッファメモリ９へのフレーム画像のバッファリングを開始する（ステップＳ１４）。即ち、高速動画の撮影を開始する。なお、高速動画用バッファメモリ９へのバッファリングを行っている時には、高速動画用バッファメモリ９に記憶させたフレーム画像に基づく高速動画像データの作成処理は行わない。この処理は後述するように通常動画の撮影終了後に行う。
【００２３】
高速動画用バッファメモリ９へのバッファリングを開始してから所定時間ｎが経過すると、制御部４は高速動画用バッファメモリ９へのフレーム画像のバッファリングを終了する（ステップＳ１５）。即ち、高速動画の撮影を終了する。なお、この所定時間ｎはデフォルトの値（秒数）を用いてもよいし、ユーザーがメニューボタン及び十字キーを用いたメニュー操作等を行うことにより設定した値（秒数）でもよい。さらに、制御部４は、通常動画の撮影開始から高速動画の撮影終了までの時間ｆをメモリ１６に記憶させる（ステップＳ１６）。
【００２４】
高速動画用バッファメモリ９へのバッファリングを終了すると、制御部４は、撮像素子６の読み出しモードを高速モードから通常モードに切り替える（ステップＳ１７）。そして、制御部４は、バッファメモリ８へのフレーム画像のバッファリングを再開する（ステップＳ１８）。即ち、通常動画の撮影を再開する。このとき、上述の通常動画の撮影と同様にバッファメモリ８に記憶させたフレーム画像を順次読み出して動画像生成部５ｂにより通常動画像データを作成し、記録媒体１０に記録させる。
【００２５】
次に、制御部４は、動画撮影ボタンが押下されたか否かを判別する（ステップＳ１９）。ステップＳ１９において動画撮影ボタンが押下されたと判別された場合には、ステップＳ２０に進み、そうでなければステップＳ１１に戻ってレリーズボタンが全押しされたか否かを判別する。
【００２６】
ステップＳ１９において、動画撮影ボタンの押下操作がなされたと判別された場合には（ステップＳ１９、Ｙｅｓ）、制御部４は、バッファメモリ８へのフレーム画像のバッファリングを終了させる（ステップＳ２０）。即ち、制御部４は通常動画の撮影を終了する。
【００２７】
図３は、本フローチャートの開始からステップＳ２０における処理を行うまでの間における動画撮影時の撮像素子６の読み出しモードの遷移を示す図である。図３は、３０ｆｐｓの通常モードによる通常動画の撮影中において、通常動画の撮影開始から時間ｓが経過した時に図２のステップＳ１１に示すレリーズボタンの全押し操作が行われ、ステップＳ１３において制御部４が撮像素子６の読み出しモードを３００ｆｐｓの第２高速モードに切り替えたことを示している。また、通常動画の撮影開始から時間ｆが経過した時（高速動画の撮影開始から所定時間ｎ経過時）に図２のステップＳ１５に示す処理を行うことにより制御部４は、高速動画の撮影を終了し、ステップＳ１７において撮像素子６の読み出しモードを３０ｆｐｓの通常モードに切り替えたことを示している。そして、高速動画の撮影終了時から時間ｐが経過するまで（図２のステップＳ２０に示す通常動画の撮影終了まで）、さらに通常動画の撮影を行うことを示している。なお、図３における「１／１０倍速スローモーション動画」は再生時の再生速度について示しており、後述の再生処理において説明する。
【００２８】
通常動画の撮影を終了すると、制御部４は高速動画用バッファメモリ９に記憶させたフレーム画像を順次読み出して動画像生成部５ｂにより動画像データの生成処理を行うことにより高速動画像データを作成し、記録媒体１０に記録させる（ステップＳ２１）。ここで、高速動画像データは上述の通常動画像データを記録したファイルと同一のファイルに記録される。例えば、図４に示すように制御部４は、１つの動画像ファイル１８に通常動画像データ２０と高速動画像データ２２とを格納して記録させる。図４に示す動画像ファイル１８は、図２に示すフローチャートにおけるレリーズボタンの全押し操作（ステップＳ１１、Ｙｅｓ）が４回行われることにより、ステップＳ１１〜Ｓ１９に示す処理が４回繰り返され、４つの高速動画像データ２０ａ〜２０ｄが記録された状態が示されている。また、動画像ファイル１８のメタデータ２４には、メモリ１６に記憶されている通常動画の撮影開始を基準としたそれぞれの高速動画の撮影開始時間ｓ（通常動画撮影開始からの経過時間ｓ）、撮影終了時間ｆ（通常動画撮影開始からの経過時間ｆ）等の撮影情報が記録される。なお、１つの動画像ファイルに通常動画像データ及び高速動画像データを記録する構成に代えて、通常動画の通常動画像データと関連付けるためのリンク情報（上述の撮影開始時間ｓ、撮影終了時間ｆ等の撮影情報を含む）等を通常動画像データ及び高速動画像データに付加し、通常動画像データと高速動画像データをそれぞれ別のファイルとして記録媒体１０に記録させてもよい。
【００２９】
なお、図２に示すフローチャートのステップＳ１２〜Ｓ１５の処理中等、高速動画の撮影中に動画撮影ボタンが押下操作されることにより撮影終了指示が行われた場合には、制御部４は動画の撮影を終了し、ステップＳ１９に示す高速動画像データの作成及び記録処理を行う。
【００３０】
次に、記録媒体１０に記録された通常動画像データに基づく通常動画及び高速動画像データに基づく高速動画の再生処理について説明する。
【００３１】
まず、ユーザーがコマンドダイヤルを操作して再生モードを設定すると、制御部４は記録媒体１０に記録されている通常動画像データに基づく通常動画及び高速動画像データに基づく高速動画を再生するための再生モードに移行する。そして、ユーザーが通常動画の再生指示を行うために再生ボタンを操作したか否かを判別する。
【００３２】
通常動画の再生指示がなされた場合には、制御部４は再生指示がなされた通常動画の通常動画像データをメモリ１６に記憶させる。さらに、通常動画像データに関連付けられている高速動画像データをメモリ１６に記憶させる。例えば、図４に示すように１つの動画像ファイル１８に１つの通常動画像データ２０及び４つの高速動画像データ２２ａ〜２２ｄが格納されている場合には、制御部４は通常動画像データ２０及び４つの高速動画像データ２２ａ〜２２ｄをメモリ１６に記憶させ、さらに通常動画の撮影開始時を基準としたそれぞれの高速動画の撮影開始時間ｓ及び撮影終了時間ｆ等の撮影情報を含むメタデータ２４をメモリ１６に記憶させる。
【００３３】
次に、制御部４は通常動画像データに基づく通常動画を通常のフレームレート（３０ｆｐｓ等）で表示部１２に表示させる。制御部４は、通常動画の再生中に高速動画の撮影開始時間ｓを参照して、通常動画の再生位置が、高速動画が撮影された位置に近づくと図５に示すように高速動画が存在することを示すアイコン３０を表示させる。即ち、高速動画の撮影開始時間ｓが経過する直前等、撮影開始時間ｓより所定時間前にアイコン３０を表示部１２に表示させた通常動画３２上に重畳表示させる。
【００３４】
制御部４は、アイコン３０が表示部１２に表示されている間に、ユーザーがＯＫボタンを操作することにより高速動画の再生指示を行ったか否かを判別する。
【００３５】
高速動画の再生指示がなされた場合には、制御部４は、図６に示すように高速動画像データに基づく高速動画３４を通常フレームレート（３０ｆｐｓ等）で表示部１２に表示させる。ここで、上述のように高速動画は６０ｆｐｓ等の第１高速モードまたは３００ｆｐｓ等の第２高速モードで撮影されている。従って、３０ｆｐｓ等の通常フレームレートで再生する場合には、スローモーション動画として再生される。例えば、図３に示すように３００ｆｐｓで撮影された高速動画を３０ｆｐｓで再生すると１／１０倍速のスローモーション動画として再生される。
【００３６】
なお、図６は３００ｆｐｓ等の第２高速モードで撮影された高速動画を表示部１２に表示する場合を示している。上述のように、通常動画はＱＦＨＤまたはフルハイビジョン規格の画素数を有するフレーム画像により構成され、３００ｆｐｓ等の第２高速モードで撮影された高速動画は１０８０×７２０ピクセルまたはＶＧＡ規格の画素数を有するフレーム画像により構成される。従って、図５及び図６に示すように表示部１２に表示される動画像のサイズは、通常動画３２（図５参照）よりも第２高速モードで撮影された高速動画３４（図６参照）の方が小さくなる。
【００３７】
高速動画の再生指示がなされた場合において、高速動画像データに基づく高速動画の再生が終了すると、制御部４は、高速動画の撮影終了後に撮影された通常動画の再生を行う。即ち、再生指示が行われた通常動画及び高速動画が、図３に示すように撮影されたものである場合には、再生開始から時間ｓの間、通常動画が再生される。次に、時間ｓから所定時間ｎの１０倍の時間、即ち、１０×ｎの間高速動画像データに基づくスローモーション動画が再生される。高速動画像に基づくスローモーション動画の再生が終了すると、図３に示すように時間ｐの間、通常動画が再生される。
【００３８】
一方、高速動画の再生指示が行われない場合には、制御部４は、通常動画の再生を継続する。ここで、高速動画の撮影開始時間ｓから撮影終了時間ｆまでの所定時間ｎの間については通常動画が存在しないため、制御部４は補完画像を表示させる。制御部４は補完画像として、高速動画の撮影開始直前の通常動画のフレーム画像を表示部１２に所定時間ｎの間表示させてもよいし、高速動画の撮影終了直後の通常動画のフレーム画像を表示部１２に所定時間ｎの間表示させてもよい。
【００３９】
また、制御部４は補完画像として、所定時間ｎの間に所定枚数のフレーム画像を切り替えて表示させてもよい。例えば、所定時間ｎの前半においては高速動画の撮影開始直前の通常動画のフレーム画像を表示させ、所定時間ｎの後半においては高速動画の撮影終了直後の通常動画のフレーム画像を表示させてもよい。また、高速動画の撮影開始直前に撮影された２〜３枚のフレーム画像を所定時間ｎの間に時系列順に順次切り替えて表示させてもよいし、高速動画の撮影終了直後に撮影された２〜３枚のフレーム画像を所定時間ｎの間に時系列順に切り替えて表示させてもよい。
【００４０】
さらに、制御部４は補完画像として、予め高速動画に基づく通常動画を作成しておくことにより３０ｆｐｓ等の通常フレームレートで通常動画を表示部１２に所定時間ｎの間表示させてもよい。ここで、予め高速動画に基づく通常動画を作成する場合には、図２のフローチャートに示す処理が終了した後に、制御部４は、高速動画像データに基づいて通常動画像データの作成処理を行う。即ち、制御部４は、記録媒体１０に記録させた高速動画像データを読み出し、高速動画像データに基づくフレーム画像を間引いて３０ｆｐｓ等の通常フレームレートの動画像を作成する。そして、制御部４は高速動画像データに基づき作成した通常動画像データを更に記録媒体１０に記録させる。
【００４１】
また、図４に示すように１つの動画像ファイル１８に高速動画像データ２２ａ〜２２ｄなど複数の高速動画像データが格納されている場合には、制御部４は、それぞれの高速動画像データに基づく高速動画についてアイコン３０を表示させる。即ち、高速動画が存在する再生位置で、その高速動画についてのアイコン３０を表示させる。例えば、高速動画像データ２２ｂに基づく高速動画が存在する再生位置で、高速動画像データ２２ｂに基づく高速動画が存在することを示すアイコン３０を表示させ、高速動画像データ２２ｃに基づく高速動画が存在する再生位置で、高速動画像データ２２ｃに基づく高速動画が存在することを示すアイコン３０を表示させる。アイコン３０が表示されている間にユーザーによりＯＫボタンの操作がなされた場合には、該当する高速動画像データに基づく高速動画の再生を上述の処理と同様に行う。
【００４２】
この実施の形態に係る電子カメラによれば、高速動画像データと通常動画像データとを独立して記録することができる。また、独立して記録するため再生時において、高速動画または通常動画の何れか一方のみを表示部に表示させることができる。
【００４３】
なお、上述の実施の形態において、高速動画のフレーム画像を高速動画用バッファメモリ９に、通常動画のフレーム画像をバッファメモリ８にそれぞれ記憶させる構成としたが、バッファメモリ８がフレーム画像を記憶するための十分な容量を有している場合には、バッファメモリ８の領域を分割し、第１領域に通常動画のフレーム画像を記憶し、第２領域に高速動画のフレーム動画を記憶させる構成としてもよい。
【００４４】
また、上述の実施の形態において、動画像生成部５ｂとして、通常動画像生成部及び高速動画像生成部の２つの動画像生成部を有してもよい。この場合には、通常動画の撮影時において制御部４は、バッファメモリ８に記憶させたフレーム画像を順次読み出して通常動画像生成部により通常動画像データを作成し、記録媒体１０に記録させる。また、高速動画の撮影時において制御部４は、高速動画用バッファメモリ９に記憶させたフレーム画像を順次読み出して高速動画像生成部により通常動画像データを作成し、記録媒体１０に記録させる。
【符号の説明】
【００４５】
２…電子カメラ、４…制御部、５…映像信号処理回路、５ｂ…動画像生成部、６…撮像素子、８…バッファメモリ、９…高速動画用バッファメモリ、１０…記録媒体、１２…表示部、１４…操作部
【図１】
2013172238.tif 000003
【図２】
2013172238.tif 000004
【図３】
2013172238.tif 000005
【図４】
2013172238.tif 000006
【図５】
2013172238.tif 000007
【図６】
2013172238.tif 000008